(57)【要約】【課題】撮影データの付属情報を選択的にファイルに記録可能な撮影装置および付属情報記録方法を提供すること。【解決手段】デジタルカメラの設定画面には、デジタルカメラで用意された付属情報として、絞りやシャッタースピード等の撮影条件、撮影日付、ユーザ情報、ＧＰＳセンサによって得られた撮影場所を示すＧＰＳ情報、サムネイル画像等が表示され、さらに各情報には「ＯＮ」、「ＯＦＦ」の各ボタンが表示される。撮影者は個々の付属情報毎に「ＯＮ」または「ＯＦＦ」のいずれかを選択し、これによって画像データと共に記録する付属情報を選択することができる。【選択図】　　図２
2004140664.tif 000002
【特許請求の範囲】
【請求項１】
撮影データの付属情報を選択的にファイルに記録する撮影装置であって、
付属情報の種類毎に所定の付属情報をファイルに記録するための設定情報を記憶する設定記憶手段を備え、
撮影時、前記設定記憶手段に記憶されている設定情報に基づいて、前記所定の付属情報を撮影データと共にファイルに記録することを特徴とする撮影装置。
【請求項２】
前記設定情報を設定するための画面（以下「設定画面」という。）を表示する設定画面表示手段と、
前記設定画面を参照しながらユーザが前記設定情報の設定を行うための操作手段と、
を備えたことを特徴とする請求項１記載の撮影装置。
【請求項３】
前記設定画面には、各種付属情報毎に、ファイルに記録するか否かを選択するための領域、文字または記号が表示され、
選択不可能な付属情報に対応する前記領域、文字または記号は、ユーザが操作または設定することができないよう他の選択可能な付属情報と識別して表示されることを特徴とする請求項２記載の撮影装置。
【請求項４】
撮影データの付属情報を選択的にファイルに記録するための付属情報記録方法であって、
付属情報の種類毎に所定の付属情報をファイルに記録するよう設定情報が設定されていれば、
撮影時には、前記所定の付属情報を撮影データと共にファイルに記録することを特徴とする付属情報記録方法。
【請求項５】
前記設定情報を設定するための画面を参照しながら、ユーザが前記設定情報の設定を行うことを特徴とする請求項４記載の付属情報記録方法。
【発明の詳細な説明】
【０００１】
【発明の属する技術分野】
本発明は、撮影データの付属情報を選択的にファイルに記録する撮影装置および付属情報記録方法に関する。
【０００２】
【従来の技術】
従来、デジタルカメラで撮影を行うと、画像ファイルには撮影画像だけでなく、絞りやシャッタースピード等の撮影条件、撮影日時、ユーザ情報、サムネイル画像等が付属情報として記録される。当該画像ファイルのフォーマットにはＥｘｉｆ規格やＤＣＦ規格がある。図４に、Ｅｘｉｆ形式の画像ファイルのデータ構成を示す。同図に示すように、Ｅｘｉｆ形式の画像ファイルは画像データ領域および付属情報領域等の領域を有している。付属情報領域はＩＦＤ（画像ファイルディレクトリ：Ｉｍａｇｅ　Ｆｉｌｅ　Ｄｉｒｅｃｔｏｒｙ）を有して構成されており、各付属情報はＩＦＤ毎に分けられ、各ＩＦＤ内にタグが記録されている。
【０００３】
【特許文献１】
特開２００１−２４９８２号公報
【０００４】
【発明が解決しようとする課題】
従来のデジタルカメラでは、撮影が行われると所定の付属情報の全てが画像ファイルに記憶される。すなわち、付属情報として記録されるデータの種類は変わらない。しかしながら、ユーザによっては付属情報を全く必要としない者もいるように、常に付属情報の全てが必要となる訳ではない。また、付属情報を記録すると、その分、画像ファイルのデータサイズが大きくなってしまうため、不必要な付属情報を記録することによってメモリ容量が無駄となる。このため、ユーザによる選択に応じて必要な付属情報だけを画像ファイルに記録することのできるデジタルカメラが望まれていた。
【０００５】
本発明は、上記従来の事情および要望に鑑みてなされたものであって、撮影データの付属情報を選択的にファイルに記録可能な撮影装置および付属情報記録方法を提供することを目的としている。
【０００６】
【課題を解決するための手段】
上記目的を達成するために、本発明に係る撮影装置は、撮影データの付属情報を選択的にファイルに記録する撮影装置であって、付属情報の種類毎に所定の付属情報をファイルに記録するための設定情報を記憶する設定記憶手段を備え、撮影時、前記設定記憶手段に記憶されている設定情報に基づいて、前記所定の付属情報を撮影データと共にファイルに記録するものである。したがって、選択された付属情報のみをファイルに記録することができるため、必要な付属情報だけを記録することにより、ファイルを蓄積しておくメモリの容量を節約することができる。
【０００７】
また、本発明に係る撮影装置は、前記設定情報を設定するための画面（以下「設定画面」という。）を表示する設定画面表示手段と、前記設定画面を参照しながらユーザが前記設定情報の設定を行うための操作手段と、を備えていることが望ましい。
【０００８】
また、本発明に係る撮影装置は、前記設定画面には、各種付属情報毎に、ファイルに記録するか否かを選択するための領域、文字または記号が表示され、選択不可能な付属情報に対応する前記領域、文字または記号は、ユーザが操作または設定することができないよう他の選択可能な付属情報と識別して表示されることが望ましい。
【０００９】
また、本発明に係る付属情報記録方法は、撮影データの付属情報を選択的にファイルに記録するための付属情報記録方法であって、付属情報の種類毎に所定の付属情報をファイルに記録するよう設定情報が設定されていれば、撮影時には、前記所定の付属情報を撮影データと共にファイルに記録する。
【００１０】
さらに、本発明に係る付属情報記録方法は、前記設定情報を設定するための画面を参照しながら、ユーザが前記設定情報の設定を行う。
【００１１】
【発明の実施の形態】
以下、本発明に係る撮影装置および付属情報記録方法の実施の形態について、図面を参照して詳細に説明する。なお、以下の説明では、本発明に係る撮影装置として、撮影画像と共に付属情報を画像ファイルに記録するデジタルカメラを例に説明する。
【００１２】
図１は、デジタルカメラの構成を示すブロック図である。同図に示すように、デジタルカメラは、撮影部１１と、ユーザが当該デジタルカメラを操作するための操作部１２と、撮影画像や付属情報を表示する表示部１３と、ユーザによって当該デジタルカメラに設定された情報やプログラム等を記憶する設定記憶部１４と、プログラムに従って各部を制御する制御部１５と、撮影場所の緯度経度情報であるＧＰＳ情報を取得するＧＰＳセンサ１６とを備えて構成されている。なお、操作部１２は特許請求の範囲の操作手段に該当し、表示部１３は設定画面表示手段に該当し、設定記憶部１４は設定記憶手段に該当する。
【００１３】
上記構成要素を備えたデジタルカメラでは、操作部１２を操作することによって表示部１３には図２に示すような設定画面が表示される。当該設定画面は、撮影時、絞りやシャッタースピード等の撮影条件、撮影日時、撮影者や著作権者に関するユーザ情報、ＧＰＳ情報、サムネイル画像等の付属情報（記録タグ）を撮影画像と共に画像ファイルに記録するか否かを設定するための画面であって、ユーザは操作部１２を操作することによって「ＯＮ」か「ＯＦＦ」のいずれか一方を付属情報毎に選択することができる。なお、撮影条件に含まれる絞りやシャッタースピードといったさらに詳細な条件であっても、各条件毎に選択可能としても良い。
【００１４】
ユーザによって設定された付属情報の記録の有無（ＯＮ／ＯＦＦ）に関する情報（特許請求の範囲の設定情報に該当する。）は設定記憶部１４に記憶され、撮影時には、「ＯＮ」が選択された付属情報のみが画像ファイルに記録される。なお、画像ファイルのフォーマットは従来と同様にＥｘｉｆ規格やＤＣＦ規格等が用いられ、各付属情報はそれぞれ対応するタグに記録される。したがって、記録されない付属情報に対応するタグはブランクとなる。
【００１５】
図３は、ＧＰＳセンサ１６が設けられていないデジタルカメラによって表示される図２と同様の設定画面である。但し、当該デジタルカメラではＧＰＳ情報を得ることができないため、ユーザがＧＰＳ情報の記録の有無を選択することができないよう、図３に示すようグレイアウト表示されている。なお、グレイアウト表示の他にも、他の付属情報とは色を変えて表示したり、「ＯＮ」が選択されるとエラー表示するようにしても良い。したがって、ユーザは選択可能な付属情報を識別することができる。
【００１６】
なお、ＤＣＦ規格等において、所定の付属情報を「ＯＦＦ」選択することができないようにしても良い。但し、「ＯＦＦ」選択が禁止された付属情報がユーザによって「ＯＦＦ」選択されると、例えば表示部１３にオーバレイで「ＤＣＦ規格ですので、選択できません」等といったメッセージを表示したり、「ＯＦＦ」選択が禁止された付属情報を予めグレイアウト表示したり、他の付属情報とは色を変えて表示する。
【００１７】
以上説明したように、本実施形態のデジタルカメラおよび付属情報記録方法によれば、ユーザによって選択された付属情報のみを画像ファイルに記録することができるため、必要な付属情報だけを記録することによって、画像ファイルを蓄積しておくメモリの容量を節約することができる。
【００１８】
なお、上記説明した設定画面は一例であって、ユーザによってカスタマイズされた設定画面を用いて各付属条件をＯＮ／ＯＦＦ選択しても良い。また、上記実施形態ではデジタルカメラを例に説明を行っているが、デジタルビデオカメラ等の動画を撮影する機器であっても良い。
【００１９】
【発明の効果】
以上説明したように、本発明の撮影装置および付属情報記録方法によれば、選択された付属情報のみをファイルに記録することができるため、必要な付属情報だけを記録することにより、ファイルを蓄積しておくメモリの容量を節約することができる。
【図面の簡単な説明】
【図１】デジタルカメラの構成を示すブロック図
【図２】設定画面の表示例を示す説明図
【図３】設定画面の他の表示例を示す説明図
【図４】Ｅｘｉｆ形式の画像ファイルのデータ構成を示す説明図
【符号の説明】
１１　撮影部
１２　操作部
１３　表示部
１４　設定記憶部
１５　制御部
１６　ＧＰＳセンサ
【図１】
2004140664.tif 000003
【図２】
2004140664.tif 000004
【図３】
2004140664.tif 000005
【図４】
2004140664.tif 000006